(57)【要約】【課題】使用者が操作パネルを操作する際の操作性を向上する。【解決手段】操作パネルに配置された操作子の操作に基づいて、蓄熱不燃性オイルの加熱を制御することにより、室内の空気を暖めて暖房を行うオイルヒーターにおいて、蓄熱不燃性オイルを充填したフィン状管体と、上記フィン状管体を配置したフレームと、上記フレームに配置されるとともに、上記蓄熱不燃性オイルの加熱を制御するための操作子が配置された操作パネルとを有し、上記操作パネルを上記フレームに対して回転自在に配置した。【選択図】        図１
2009186129.tif 000002
【特許請求の範囲】
【請求項１】
操作パネルに配置された操作子の操作に基づいて、蓄熱不燃性オイルの加熱を制御することにより、室内の空気を暖めて暖房を行うオイルヒーターにおいて、
蓄熱不燃性オイルを充填したフィン状管体と、
前記フィン状管体を配置したフレームと、
前記フレームに配置されるとともに、前記蓄熱不燃性オイルの加熱を制御するための操作子が配置された操作パネルと
を有し、
前記操作パネルを前記フレームに対して回転自在に配置した
ことを特徴とするオイルヒーター。
【請求項２】
請求項１に記載のオイルヒーターにおいて、
前記操作パネルは、前記フレームの上面に回転自在に配置した
ことを特徴とするオイルヒーター。
【請求項３】
蓄熱不燃性オイルの加熱を制御することにより、室内の空気を暖めて暖房を行うオイルヒーターにおいて、
蓄熱不燃性オイルを充填したフィン状管体と、
前記フィン状管体の少なくとも上部側に位置する領域に対して着脱自在に配置されたガード部材と
を有することを特徴とするオイルヒーター。
【請求項４】
請求項１または２のいずれか１項に記載のオイルヒーターにおいて、さらに、
前記フィン状管体の少なくとも上部側に位置する領域に対して着脱自在に配置されたガード部材と
を有することを特徴とするオイルヒーター。
【請求項５】
請求項３または４のいずれか１項に記載のオイルヒーターにおいて、
前記ガード部材は、前記フィン状管体の膨張または収縮に応じて伸縮自在である
ことを特徴とするオイルヒーター。
【発明の詳細な説明】
【技術分野】
【０００１】
本発明は、オイルヒーターに関し、さらに詳細には、蓄熱不燃性オイルを加熱することにより室内の空気を暖めて暖房を行うオイルヒーターに関する。
【背景技術】
【０００２】
従来より、内部に熱媒体たる蓄熱不燃性オイルを充填した複数のフィン状管体と、電気ヒーターなどの所定の加熱手段とを有し、電源の投入により加熱手段が蓄熱不燃性オイルを加熱してフィン状管体の表面から放熱させ、室内の空気を暖めるようにした暖房装置としてのオイルヒーターが知られている。
【０００３】
一般に、こうした従来のオイルヒーターにおいては、電源のオン／オフ操作や温度設定操作を行うためなどの各種操作ボタンを配置された操作パネルが、オイルヒーターのフレームの上面あるいは側面に固定的に取り付けられているため、オイルヒーターの使用者が当該オイルヒーターの操作パネルを操作しようとする際には、操作パネルの正面側に回り込んで操作する必要があり、操作性に劣るという問題点があった。
【０００４】
また、上記したような従来のオイルヒーターにおいては、当該オイルヒーターが倒れた場合に人体や器物あるいは床面などにぶつかると、フィン状管体の上部側に位置する角部により人体や器物あるいは床面などに損傷を与える恐れがあるという問題点もあった。
【０００５】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【０００６】
本発明は、従来の技術の有する上記したような種々の問題点に鑑みてなされたものであり、その目的とするところは、使用者が操作パネルを操作する際の操作性を向上させたオイルヒーターを提供しようとするものである。
【０００７】
また、本発明の目的とするところは、オイルヒーターが倒れた場合においても、フィン状管体の上部側に位置する角部により人体や器物あるいは床面などに損傷を与える恐れがないようにしたオイルヒーターを提供しようとするものである。
【課題を解決するための手段】
【０００８】
上記目的を達成するために、本発明は、オイルヒーターのフレームに対して操作パネルを回転自在に配置するようにしたものである。
【０００９】
また、本発明は、フィン状管体の少なくとも上部側に伸縮自在のガード部材を配置するようにしたものである。
【００１０】
即ち、本発明のうち請求項１に記載の発明は、操作パネルに配置された操作子の操作に基づいて、蓄熱不燃性オイルの加熱を制御することにより、室内の空気を暖めて暖房を行うオイルヒーターにおいて、蓄熱不燃性オイルを充填したフィン状管体と、上記フィン状管体を配置したフレームと、上記フレームに配置されるとともに、上記蓄熱不燃性オイルの加熱を制御するための操作子が配置された操作パネルとを有し、上記操作パネルを上記フレームに対して回転自在に配置したものである。
【００１１】
また、本発明のうち請求項２に記載の発明は、本発明のうち請求項１に記載の発明において、上記操作パネルを上記フレームの上面に回転自在に配置したものである。
【００１２】
また、本発明のうち請求項３に記載の発明は、蓄熱不燃性オイルの加熱を制御することにより、室内の空気を暖めて暖房を行うオイルヒーターにおいて、蓄熱不燃性オイルを充填したフィン状管体と、上記フィン状管体の少なくとも上部側に位置する領域に対して着脱自在に配置されたガード部材とを有するようにしたものである。
【００１３】
また、本発明のうち請求項４に記載の発明は、本発明のうち請求項１または２のいずれか１項に記載の発明において、上記フィン状管体の少なくとも上部側に位置する領域に対して着脱自在に配置されたガード部材を有するようにしたものである。
【００１４】
また、本発明のうち請求項５に記載の発明は、本発明のうち請求項３または４のいずれか１項に記載の発明において、上記ガード部材は、上記フィン状管体の膨張または収縮に応じて伸縮自在であるようにしたものである。
【発明の効果】
【００１５】
本発明は、以上説明したように構成されているので、使用者が操作パネルを操作する際の操作性が著しく向上するという優れた効果を奏する。
【００１６】
また、本発明は、以上説明したように構成されているので、オイルヒーターが倒れた場合に、フィン状管体の上部側に位置する角部により人体や器物あるいは床面などに損傷を与える恐れがないという優れた効果を奏する。
【発明を実施するための最良の形態】
【００１７】
以下、添付の図面を参照しながら、本発明によるオイルヒーターの実施の形態の一例について詳細に説明するものとする。
【００１８】
ここで、図１には本発明によるオイルヒーターの実施の形態の一例の上面斜視図が示されており、また、図２には本発明によるオイルヒーターの実施の形態の一例の下面斜視図が示されており、また、図３には本発明によるオイルヒーターの実施の形態の一例の側面図が示されており、また、図４には本発明によるオイルヒーターの実施の形態の一例のＡ矢視図（上面図）が示されており、また、図５には本発明によるオイルヒーターの実施の形態の一例のＢ矢視図（下面図）が示されている。
【００１９】
このオイルヒーター１０は、電源コード（図示を省略した。）を介して後述するヒーター（図示を省略した。）に電力が供給されて作動するものであり、側面視において下方側が開口した略コ字形状を備えたフレーム１２の下面前方側の左右の位置に回転自在にそれぞれ配設された旋回式の前方キャスター１４Ｒ、１４Ｌ（前方キャスター１４Ｒ、１４Ｌは、上下方向に延長する軸周りに旋回可能である。）と、フレーム１２の下面後方側の左右の位置に回転自在にそれぞれ配設された固定式の後方キャスター１６Ｒ、１６Ｌ（後方キャスター１６Ｒ、１６Ｌは、上下方向に延長する軸周りに旋回不能である。）と、略コ字形状のフレーム１２の中央部に配置された鋼板により形成されている複数枚のフィン状管体１８と、フィン状管体１８内に配置されるとともにフィン状管体１８内に充填された蓄熱不燃性オイルを加熱するヒーター（図示を省略した。）と、フレーム１２の上面前方側に配置された各種操作子ならびに各種表示器が設けられた操作パネル２０と、フィン状管体１８の上部側に位置する角部に対応するフレーム１２の側面上方部位の左右の位置にそれぞれ配置されたガード部材２２Ｒ、２２Ｌとを有して構成されている。
【００２０】
ここで、図６にはオイルヒーター１０における操作パネル２０近傍を拡大して示した要部分解斜視説明図が示されており、また、図７にはオイルヒーター１０における操作パネル２０近傍を拡大するとともに一部を破断して示した要部断面説明図が示されている。
【００２１】
これら図６ならびに図７に示すように、操作パネル２０は、電源のオン／オフ操作を行う電源スイッチや温度設定スイッチあるいはタイマー設定ボタンなどの各種操作子ならびに各種表示器が配置された操作パネル基板２０ａと、操作パネル基板２０ａを支持する円筒形基台部２０ｂと、円筒形基台部２０ｂの下面に突設された回転軸部材２０ｃとを有して構成されている。
【００２２】
そして、こうした構成の操作パネル２０を配置するために、フレーム１２の上面前方部位には操作パネル受け部１２ａが形成されており、この操作パネル受け部１２ａは、円筒形基台部２０ｂを配置するための支持部１２ａａと、回転軸部材２０ｃを貫入させて回動自在に支持する軸受け部２０ａｂとを有して構成されている。
【００２３】
なお、回転軸部材２０ｃの下端部には、回転軸部材２０ｃを軸受け部２０ａｂに貫入させた際に、軸受け部２０ａｂの下端部と係合して抜け止め防止の機能を発揮する突起部２０ｃａが形成されている。
【００２４】
また、図８にはガード部材２２Ｌの構成部材を分解した状態の分解斜視説明図が示されており、また、図９にはガード部材２２Ｌの構成部材を組み付け途中の分解斜視説明図が示されており、また、図１０（ａ）には構成部材を組み付けた状態のガード部材２２ＬのＤ−Ｄ線による断面構成説明図が示されており、また、図１０（ｂ）には構成部材を組み付けた状態のガード部材２２ＬのＣ矢視図が示されており、また、図１１にはフィン状管体１８にガード部材２２Ｒ、２２Ｌを取り付ける際の取り付け方法を示す斜視説明図が示されており、また、図１２にはガード部材２２Ｒ、２２Ｌを取り付けていない状態のフィン状管体１８の要部拡大斜視説明図が示されており、また、図１３にはガード部材２２Ｒ、２２Ｌを取り付けた状態のフィン状管体１８の要部拡大斜視説明図が示されている。
【００２５】
なお、ガード部材２２Ｒは、ガード部材２２Ｌとは線対称となるように構成されているので、ガード部材２２Ｌに関する構成の詳細な説明ならびに図示を援用することにより、その構成の詳細な説明ならびに図示は省略する。
【００２６】
図８、図９ならびに図１０（ａ）（ｂ）に示すように、ガード部材２２Ｌは、オイルヒーター１０の前後方向に延長する略平板状の形状を備えたセンター部材３０と、センター部材３０の長手方向の一方の端部３０ａと他方の端部３０ｂとにそれぞれ連接されるとともにオイルヒーター１０の前後方向に延長する略平板状の形状を備えたサイド部材３２、３４と、センター部材３０の端部３０ａ側に形成された突部３０ａａに一方の端部３６ａを係止されるとともに他方の端部３６ｂをサイド部材３２に形成された突部３２ａに係止されたコイルスプリング３６と、センター部材３０の端部３０ｂ側に形成された突部３０ｂａに一方の端部３８ａを係止されるとともに他方の端部３８ｂをサイド部材３４に形成された突部３４ａに係止されたコイルスプリング３８とを有して構成されている。
【００２７】
なお、コイルスプリング３６は、常時拡開する方向、即ち、相対的にサイド部材３２をセンター部材３０から離隔する矢印Ｘ（図８参照）方向に付勢するバネ力を備えている。
【００２８】
同様に、コイルスプリング３８は、常時拡開する方向、即ち、相対的にサイド部材３４をセンター部材３０から離隔する矢印Ｙ（図８参照）方向に付勢するバネ力を備えている。
【００２９】
次に、ガード部材２２Ｌをより詳細に説明すると、センター部材３０とサイド部材３２とサイド部材３４とは、上記したようにそれぞれ平板状の形状を備えているが、本明細書においては説明の便宜上、図９におけるＣ矢視において視認できる平板状の領域を表面と称し、当該表面の裏側に位置する平板状の領域を裏面と称することとする。
【００３０】
センター部材３０は、オイルヒーター１０の前後方向に延長する両側端面に沿って裏面側に立ち上がり形成されたガイド部材３０ｃを備えており、このガイド部材３０ｃの先端部３０ｃａはセンター部材３０の裏面と平行になるように屈曲形成されていて、センター部材３０の裏面とガイド部材３０ｃとによりガイド溝３０ｃｂが形成されている。
【００３１】
また、突部３０ａａは、それぞれセンター部材３０の裏面上に形成されており、突部３０ａａから端部３０ａ側の端面３０ａｃにかけて、オイルヒーター１０の前後方向に沿って延長する溝部３０ａｄが形成されている。そして、この溝部３０ａｄ内に、コイルスプリング３６が配置されることになる。
【００３２】
同様に、突部３０ｂａは、それぞれセンター部材３０の裏面上に形成されており、突部３０ｂａから端部３０ｂ側の端面３０ｂｃにかけて、オイルヒーター１０の前後方向に沿って延長する溝部３０ｂｄが形成されている。そして、この溝部３０ｂｄ内に、コイルスプリング３８が配置されることになる。
【００３３】
一方、突部３２ａは、それぞれサイド部材３２の表面上に形成されており、突部３２ａからセンター部材３０側に位置する端面３２ｂにかけて、オイルヒーター１０の前後方向に沿って延長する溝部３２ｃが形成されている。そして、この溝部３２ｃ内に、コイルスプリング３６が配置されることになる。
【００３４】
同様に、突部３４ａは、それぞれサイド部材３４の表面上に形成されており、突部３４ａからセンター部材３０側に位置する端面３４ｂにかけて、オイルヒーター１０の前後方向に沿って延長する溝部３４ｃが形成されている。そして、この溝部３４ｃ内に、コイルスプリング３８が配置されることになる。
【００３５】
また、センター部材３０とサイド部材３２とは、サイド部材３２のセンター部材３０側に位置する領域３２ｄが、センター部材３０の裏面とサイド部材３２の表面とを当接するようにしてガイド溝３０ｃｂ内に摺動自在に配置されるように寸法設定されている。
【００３６】
同様に、センター部材３０とサイド部材３４とは、サイド部材３４のセンター部材３０側に位置する領域３４ｄが、センター部材３０の裏面とサイド部材３４の表面とを当接するようにしてガイド溝３０ｃｂ内に摺動自在に配置されるように寸法設定されている。
【００３７】
さらに、サイド部材３２のセンター部材３０とは離隔した方向の端面３２ｄには、フレーム１２とフィン状管体１８の当該フレーム１２に隣接する部位１８ａとの間に嵌め込むための嵌め込み突部３２ｅが、裏面側に立ち上がり形成されている。
【００３８】
さらに、サイド部材３４のセンター部材３０とは離隔した方向の端面３４ｄには、フレーム１２とフィン状管体１８の当該フレーム１２に隣接する部位１８ａとの間に嵌め込むための嵌め込み突部３４ｅが、裏面側に立ち上がり形成されている。
【００３９】
なお、符号４０、符号４２ならびに符号４４は、それぞれセンター部材３０、サイド部材３２ならびにサイド部材３４の強度を確保するための補強用のリブを示している。
【００４０】
そして、上記した各構成部材を備えたガード部材２２Ｒ、２２Ｌは、コイルスプリング３６の端部３６ａを突部３０ａａに係止し、かつ、コイルスプリング３６の端部３６ｂを突部３２ａに係止するとともに、溝部３０ａｄおよび溝部３２ｃ内にコイルスプリング３６を配置するようにして、サイド部材３２の領域３２ｄをセンター部材３０の裏面とサイド部材３２の表面とが当接するようにガイド溝３０ｃｂ内に配置し、また、コイルスプリング３８の端部３８ａを突部３０ｂａに係止し、かつ、コイルスプリング３８の端部３８ｂを突部３４ａに係止するとともに、溝部３０ｂｄおよび溝部３４ｃ内にコイルスプリング３８を配置するようにして、サイド部材３４の領域３４ｄをセンター部材３０の裏面とサイド部材３２の表面とが当接するようにしてガイド溝３０ｃｂ内に配置することにより組み付けられる。
【００４１】
こうして各構成部材を組み付けられたガード部材２２Ｒ、２２Ｌにおいては、コイルスプリング３６の付勢力により、サイド部材３２はセンター部材３０から相対的に離隔する矢印Ｘ（図８参照）方向に付勢されているが、使用者がコイルスプリング３６の付勢力に抗して当該コイルスプリング３６を圧縮しながらサイド部材３２の領域３２ｄをセンター部材３０内に押し込むことができ、全体として伸縮自在となるようように、各構成部材の寸法ならびにコイルスプリング３６の付勢力が設定されている。
【００４２】
同様に、各構成部材を組み付けられたガード部材２２Ｒ、２２Ｌにおいては、コイルスプリング３８の付勢力により、サイド部材３４はセンター部材３０から相対的に離隔する矢印Ｙ（図８参照）方向に付勢されているが、使用者がコイルスプリング３８の付勢力に抗して当該コイルスプリング３８を圧縮しながらサイド部材３４の領域３４ｄをセンター部材３０内に押し込むことができ、全体として伸縮自在となるようように、各構成部材の寸法ならびにコイルスプリング３８の付勢力が設定されている。
【００４３】
従って、フレーム１２に対してガード部材２２Ｒ、２２Ｌを取り付ける際には、使用者は、コイルスプリング３６の付勢力に抗して当該コイルスプリング３６を圧縮しながらサイド部材３２の領域３２ｄをセンター部材３０内に押し込むとともに、コイルスプリング３８の付勢力に抗して当該コイルスプリング３８を圧縮しながらサイド部材３４の領域３４ｄをセンター部材３０内に押し込むようにして、嵌め込み突部３２ｅと嵌め込み突部３４ｅとをフレーム１２とフィン状管体１８の当該フレーム１２に隣接する部位１８ａとの間に嵌め込む（図１１乃至図１３参照）。
【００４４】
こうして嵌め込み突部３２ｅと嵌め込み突部３４ｅとがフレーム１２とフィン状管体１８の当該フレーム１２に隣接する部位１８ａとの間に嵌め込まれた後は、コイルスプリング３６の付勢力によりサイド部材３２がフレーム１２に対して押しつけられ、また、コイルスプリング３８の付勢力によりサイド部材３４がフレーム１２に対して押しつけられるため、ガード部材２２Ｒ、２２Ｌがフレーム１２から落下することが防止される。
【００４５】
なお、フレーム１２、フィン状管体１８ならびにガード部材２２Ｒ、２２Ｌは、例えば、金属材料に形成することが好ましい。
【００４６】
以上の構成において、本発明によるオイルヒーター１０においては、使用者が操作パネル２０に配置された電源スイッチをオン操作して電源の投入を指示すると、電源コードを介してヒーターに電力が供給されてヒーターが加熱され、このヒーターの加熱によりフィン状管体１８内に充填された蓄熱不燃性オイルが加熱されることになって、これにより室内の空気を暖められて当該室内が暖房される。
【００４７】
ここで、使用者は、操作パネル２０に配置された各種表示器の表示内容などを参照しながら、操作パネル２０に配置された各種操作子の操作を行って、上記した電源スイッチのオン／オフ操作や温度設定操作あるいはタイマー設定操作などを行うものであるが、オイルヒーター１０においては、フレーム１２の上面に配置された操作パネル２０が、軸受け部２０ａｂに回転軸部材２０ｃを貫入させることにより、図１４に示すようにフレーム１２に対して回転自在であるため、使用者がオイルヒーター１０の周囲を移動することなく操作パネル２０を回転するのみで、操作パネル２０に配置された各種表示器の表示内容の確認や各種操作子の操作を容易に行うことができる。
【００４８】
即ち、一般に、オイルヒーターは、長手方向が壁と平行になるように配置される場合が多いものであるが、本発明によるオイルヒーター１０においては、長手方向（前後方向）が壁と平行になるように配置されても、操作パネル２０を回転することができるため、使用者は壁が邪魔にならずに極めて容易に操作パネル２０に配置された各種表示器の表示内容の確認や各種操作子の操作を行うことができる。
【００４９】
また、このオイルヒーター１０においては、図１５および図１６に示すような操作案内のための音声ガイダンスを生成するための回路構成を備えており、使用者が操作パネル２０に配置された各種操作子の操作を行うと、図１５および図１６に示すような操作案内のための音声ガイダンスが流れるので、使用者は音声ガイダンスを聴きながら操作を行うことができ、使用者は各種の操作を迷うことなく行うことができる。
【００５０】
なお、上記回路構成には、音声ガイダンスが必要ない場合における音声ガイダンスを切断するための回路も組み込まれている。
【００５１】
また、オイルヒーター１０の移動などの際に、オイルヒーター１０が万一倒れた場合でも、フィン状管体１８の上部側に位置する角部に対応するフレーム１２の側面上方部位の左右の位置にガード部材２２Ｒ、２２Ｌがそれぞれ配置されているので、フィン状管体１８の上部側に位置する角部と人体や器物あるいは床面などが直接に当接することがなく、フィン状管体１８の上部側に位置する角部により人体や器物あるいは床面などに対して損傷を与える恐れがない。
【００５２】
ここで、嵌め込み突部３２ｅと嵌め込み突部３４ｅとをフレーム１２とフィン状管体１８の当該フレーム１２に隣接する部位１８ａとの間に嵌め込むことにより、ガード部材２２Ｒ、２２Ｌはフレーム１２に対して取り付けられているため、使用者がフレーム１２に取り付けられた状態のガード部材２２Ｒ、２２Ｌを持って引っ張った際には、ガード部材２２Ｒ、２２Ｌはフレーム１２から簡単に外れることになる。
【００５３】
このため、使用者が誤ってガード部材２２Ｒ、２２Ｌを持って引っ張ったとしても、フレーム１２からガード部材２２Ｒ、２２Ｌのみ外れて、オイルヒーター１０全体が転倒することはない。
【００５４】
また、一般に、オイルヒーターにおいては、通電により蓄熱不燃性オイルが加熱されるとフィン状管体やフレームが膨張してオイルヒーター全体が伸びるものである。
【００５５】
即ち、このオイルヒーター１０においても、通電により蓄熱不燃性オイルが加熱されるとフィン状管体１８やフレーム１２が膨張してオイルヒーター１０全体が長手方向（前後方向）に伸びることになるが、このようにオイルヒーター１０全体が長手方向（前後方向）に伸びた際にも、ガード部材２２Ｒ、２２Ｌにおいては、コイルスプリング３６の付勢力により、サイド部材３２がセンター部材３０から相対的に離隔する矢印Ｘ（図８参照）方向に付勢されているとともに、サイド部材３４がセンター部材３０から相対的に離隔する矢印Ｙ（図８参照）方向に付勢されており、コイルスプリング３６の付勢力によりサイド部材３２がフレーム１２に対して押しつけられ、また、コイルスプリング３８の付勢力によりサイド部材３４がフレーム１２に対して押しつけられることになって、ガード部材２２Ｒ、２２Ｌがフレーム１２から落下することはない。
【００５６】
また、オイルヒーター１０においては、フィン状管体１８にガード部材２２Ｒ、２２Ｌがそれぞれ配置されているため、オイルヒーター１０の周囲にいる人たちがうっかりフィン状管体１８に触れてしまうことをガード部材２２Ｒ、２２Ｌにより防ぐことができ、人体が加熱されたフィン状管体１８に触れることによるヒートショックや火傷の発生を未然に防止することができる。
【００５７】
さらに、このオイルヒーター１０においては、前方キャスター１４Ｒ、１４Ｌを旋回式とするとともに、後方キャスター１６Ｒ、１６Ｌを固定式としたため、移動が極めて容易になった。
【００５８】
即ち、従来のオイルヒーターのキャスターは前後とも旋回式にするか、あるいは、前後とも固定式にする構成が一般的であった。
【００５９】
このため、前後とも旋回式のキャスターの場合には、オイルヒーターの前側を引っ張って移動する際には、オイルヒーターの後側がふらつきやすくなって転倒する恐れがあるということが指摘されていた。
【００６０】
一方、前後とも固定式のキャスターの場合には、移動の際にはオイルヒーター全体を持ち上げないと方向転換をできないということが指摘されていた。
【００６１】
しかしながら、オイルヒーター１０は、前方キャスター１４Ｒ、１４Ｌを旋回式とするとともに、後方キャスター１６Ｒ、１６Ｌを固定式としたので、オイルヒーター１０を移動する際に安定して移動することができるとともに、方向転換も容易に行うことができる。
【００６２】
なお、上記した実施の形態は、以下の（１）乃至（３）に説明するように変形してもよい。
【００６３】
（１）上記した実施の形態においては、ガード部材２２Ｒ、２２Ｌをフィン状管体１８の上部側に位置する角部に対応する領域についてのみ配置したが、これに限られるものではないことは勿論であり、フィン状管体１８の上部側に位置する角部に対応する領域に加えて、フィン状管体１８の下部側に位置する角部に対応する領域や、あるいはフィン状管体１８全体を覆うようにガード部材２２Ｒ、２２Ｌを配置してもよい。
【００６４】
（２）上記した実施の形態においては、オイルヒーター１０の上面に回転可能に操作パネル２０を設けたが、これに限られるものではないことは勿論であり、オイルヒーター１０の側面に回転可能に操作パネル２０を設けるようにしてもよい。
【００６５】
（３）上記した実施の形態ならびに上記した（１）〜（２）に示す変形例は、適宜に組み合わせるようにしてもよい。
【産業上の利用可能性】
【００６６】
本発明は、室内や屋内を暖房する際に利用することができるものである。
【図面の簡単な説明】
【００６７】
【図１】図１は、本発明によるオイルヒーターの実施の形態の一例の上面斜視図である。
【図２】図２は、本発明によるオイルヒーターの実施の形態の一例の下面斜視図である。
【図３】図３は、本発明によるオイルヒーターの実施の形態の一例の側面図である。
【図４】図４は、本発明によるオイルヒーターの実施の形態の一例のＡ矢視図（上面図）である。
【図５】図５は、本発明によるオイルヒーターの実施の形態の一例のＢ矢視図（下面図）である。
【図６】図６は、オイルヒーターにおける操作パネル近傍を拡大して示した要部分解斜視説明図である。
【図７】図７は、オイルヒーターにおける操作パネル近傍を拡大するとともに一部を破断して示した要部断面説明図である。
【図８】図８は、ガード部材の構成部材を分解した状態の分解斜視説明図である。
【図９】図９は、ガード部材の構成部材を組み付け途中の分解斜視説明図である。
【図１０】図１０（ａ）は、構成部材を組み付けた状態のガード部材のＤ−Ｄ線による断面構成説明図であり、また、図１０（ｂ）は、構成部材を組み付けた状態のガード部材２２ＬのＣ矢視図である。
【図１１】図１１は、フィン状管体にガード部材を取り付ける際の取り付け方法を示す斜視説明図である。
【図１２】図１２は、ガード部材を取り付けていない状態のフィン状管体の要部拡大斜視説明図である。
【図１３】図１３は、ガード部材を取り付けた状態のフィン状管体の要部拡大斜視説明図である。
【図１４】図１４は、オイルヒーターにおける操作パネルを回転した状態を示す説明図である。
【図１５】図１５は、オイルヒーターにおける音声ガイダンスの内容を示す図表である。
【図１６】図１６は、オイルヒーターにおける音声ガイダンスの内容を示す図表である。
【符号の説明】
【００６８】
１０                オイルヒーター
１２                フレーム
１４Ｒ、１４Ｌ      前方キャスター
１６Ｒ、１６Ｌ      後方キャスター
１８                フィン状管体
２０                操作パネル
２２Ｒ、２２Ｌ      ガード部材
３０                センター部材
３２、３４          サイド部材
３６、３８          コイルスプリング
４０、４２、４４    リブ
【図１】
2009186129.tif 000003
【図２】
2009186129.tif 000004
【図３】
2009186129.tif 000005
【図４】
2009186129.tif 000006
【図５】
2009186129.tif 000007
【図６】
2009186129.tif 000008
【図７】
2009186129.tif 000009
【図８】
2009186129.tif 000010
【図９】
2009186129.tif 000011
【図１０】
2009186129.tif 000012
【図１１】
2009186129.tif 000013
【図１２】
2009186129.tif 000014
【図１３】
2009186129.tif 000015
【図１５】
2009186129.tif 000016
【図１６】
2009186129.tif 000017
【図１４】
2009186129.tif 000018